(57)【要約】【課題】主たる画像の投写を中断することなく追加的な情報を投写することを可能とする手段を提供する。【解決手段】プロジェクター１１はビデオプレイヤー１２により再生される映像をスクリーン８に投写する。端末装置１３の表示部には、プロジェクター１１から投写されている映像を含むテロップ設定画面が表示される。端末装置１３のユーザーは端末装置１３にテロップを入力する。入力されたテロップは端末装置１３からプロジェクター１１に送信され、プロジェクター１１においてビデオプレイヤー１２から入力される映像の上に重畳される。その結果、スクリーン８にはテロップが重畳された映像が投写される。【選択図】図１
2013205605.tif 000002
【特許請求の範囲】
【請求項１】
第１の画像を示す第１の画像データを取得する画像データ取得手段と、
前記第１の画像に重畳される第２の画像を示す第２の画像データを外部の装置から受信する受信手段と、
前記第１の画像データと前記第２の画像データとを用いて、前記第１の画像に対し前記第２の画像を重畳した合成画像を示す合成画像データを生成する画像データ生成手段と、
前記合成画像データにより示される合成画像を投写する画像投写手段と
を備えるプロジェクター。
【請求項２】
前記第１の画像データもしくは前記合成画像データを外部の装置に送信する送信手段
を備える請求項１に記載のプロジェクター。
【請求項３】
前記受信手段により受信される前記第２の画像データは暗号化されたデータであり、
暗号化された前記第２の画像データを復号化する復号化手段を備える
請求項１または２に記載のプロジェクター。
【請求項４】
基準となる時刻から現在までの経過時間もしくは現在の時刻を示す計時データを生成する計時手段と、
前記計時手段により生成される計時データにより示される基準となる時刻から現在までの経過時間もしくは現在の時刻が、所定の条件を満たすか否かを判定する判定手段と
を備え、
前記画像データ生成手段は、前記判定手段による前記判定の結果に応じて、前記合成画像データの生成に用いる前記第２の画像データを変更する
請求項１乃至３のいずれかに記載のプロジェクター。
【請求項５】
前記第１の画像データおよび前記前記第２の画像データ、もしくは前記合成画像データを記録する記録手段
を備える請求項１乃至４のいずれかに記載のプロジェクター。
【請求項６】
前記第２の画像データは、画像の要素である文字、数字、記号および図形のうちの少なくとも１を示す要素データと、前記要素データにより示される要素の表示位置を示す表示位置データとを含み、
前記第２の画像データが前記要素データを複数含む場合、複数の前記要素データの各々により各々示される複数の要素間の重なりの程度を低下するように、複数の前記要素データのうちの少なくとも１の前記要素データに対応する前記表示位置データを所定の規則に従い変更する変更手段を備える
請求項１乃至５のいずれかに記載のプロジェクター。
【請求項７】
第１の画像を示す第１の画像データを取得する画像データ取得手段と、
前記第１の画像データにより示される前記第１の画像を含み、前記第１の画像の上に重畳されるべき第２の画像の要素である文字、数字、記号および図形のうちの少なくとも１を示す要素データの入力を促す画面の表示を表示装置に指示する表示指示手段と、
前記要素データの入力を受け付ける操作手段と、
前記操作手段を用いて入力された前記要素データにより示される要素を含む第２の画像を、前記第１の画像に対し重畳した合成画像を示す合成画像データを生成する画像データ生成手段と
を備え、
前記表示指示手段は、前記操作手段を用いた前記要素データの入力が行われた場合、前記第１の画像に代えて前記合成画像を含む前記画面の表示を前記表示装置に指示し、
前記操作手段を用いた前記要素データの入力が行われた場合、前記第２の画像を示す第２の画像データもしくは前記合成画像データを、画像の投写を行うプロジェクターに送信する送信手段を備える
端末装置。
【請求項８】
前記送信手段は、前記第１の画像データを外部の装置に送信する
請求項７に記載の端末装置。
【請求項９】
前記第２の画像データもしくは前記合成画像データを暗号化する暗号化手段を備え、
前記送信手段は、前記暗号化手段により暗号化された前記第２の画像データもしくは前記合成画像データを前記プロジェクターに送信する
請求項７または８に記載の端末装置。
【請求項１０】
基準となる時刻から現在までの経過時間もしくは現在の時刻を示す計時データを生成する計時手段と、
前記計時手段により生成される計時データにより示される基準となる時刻から現在までの経過時間もしくは現在の時刻が、所定の条件を満たすか否かを判定する判定手段と
を備え、
前記送信手段は、前記判定手段による前記判定の結果に応じて、前記プロジェクターに送信する前記第２の画像データを変更する
請求項７乃至９のいずれかに記載の端末装置。
【請求項１１】
前記第１の画像データおよび前記第２の画像データ、もしくは前記合成画像データを記録する記録手段
を備える請求項７乃至１０のいずれかに記載の端末装置。
【請求項１２】
前記操作手段を用いて入力される前記要素データには前記要素データにより示される要素の表示位置を示す表示位置データが伴い、
複数の前記要素データが入力された場合、複数の前記要素データの各々により各々示される複数の要素間の重なりの程度を低下するように、複数の前記要素データのうちの少なくとも１の前記要素データに伴う前記表示位置データを所定の規則に従い変更する変更手段を備える
請求項７乃至１１のいずれかに記載の端末装置。
【請求項１３】
コンピューターに、
第１の画像を示す第１の画像データを取得する処理と、
前記第１の画像データにより示される前記第１の画像を含み、前記第１の画像の上に重畳されるべき第２の画像の要素である文字、数字、記号および図形のうちの少なくとも１を示す要素データの入力を促す画面の表示を表示装置に指示する処理と、
前記画面の促しに応じて前記ユーザーにより前記要素データの入力が行われた場合、前記ユーザーにより入力された前記要素データにより示される要素を含む第２の画像を前記第１の画像に対し重畳した合成画像を示す合成画像データを生成する処理と、
前記要素データの入力が行われた場合、前記第１の画像に代えて前記合成画像を含む前記画面の表示を前記表示装置に指示する処理と、
前記要素データの入力が行われた場合、前記第２の画像を示す第２の画像データもしくは前記合成画像データを、画像の投写を行うプロジェクターに送信する処理と
を実行させるプログラム。
【発明の詳細な説明】
【技術分野】
【０００１】
本発明は、プロジェクターにより画像を投写する技術に関する。
【背景技術】
【０００２】
会議などにおいて、プロジェクターを用いてプレゼンテーション用の資料等を投写している時に、会議の参加者に追加的な情報を伝えたい場合がある。
【０００３】
上記のようなニーズを満たす技術の一つとして、特許文献１においては、プロジェクターにより投写される主たる画像の外側に時刻などの追加的な情報の表示を可能とする仕組みが提案されている。
【先行技術文献】
【特許文献】
【０００４】
【特許文献１】特開２００８−２６８６２４号公報
【発明の概要】
【発明が解決しようとする課題】
【０００５】
例えば、会議中にプレゼンターが予め準備しておいたプレゼンテーション用の資料に含まれていない追加情報を会議の参加者に対し投写により伝えたい場合、従来の技術によれば、いったんプレゼンテーション用の資料の投写を中断し、追加情報をタイプした文書を投写する、といった投写の切り替えを要する。
【０００６】
上記のような投写の切り替えは手間を要するとともに、プレゼンテーションの中断を伴う。また、プレゼンテーション用の資料と追加情報が互いに関連する場合、会議の参加者はそれらを同時に見ることができず不便を感じる。
【０００７】
本発明は、上述した事情に鑑みてなされたもので、主たる画像の投写を中断することなく追加的な情報を投写することを可能とする手段を提供することを目的とする。
【課題を解決するための手段】
【０００８】
上記目的を達成するために、本発明は、第１の画像を示す第１の画像データを取得する画像データ取得手段と、前記第１の画像に重畳される第２の画像を示す第２の画像データを外部の装置から受信する受信手段と、前記第１の画像データと前記第２の画像データとを用いて、前記第１の画像に対し前記第２の画像を重畳した合成画像を示す合成画像データを生成する画像データ生成手段と、前記合成画像データにより示される合成画像を投写する画像投写手段とを備えるプロジェクターを提案する。
【０００９】
上記の本発明にかかるプロジェクターによれば、例えば外部の装置のユーザーが追加的な情報を外部の装置に入力することで、主たる画像に対し追加的な情報の重畳された画像の投写が行われる。
【００１０】
また、上記の本発明にかかるプロジェクターにおいて、前記第１の画像データもしくは前記合成画像データを外部の装置に送信する送信手段を備える、という構成が採用されてもよい。
【００１１】
上記の本発明にかかるプロジェクターによれば、外部の装置は主たる画像の表示を行うことができる。そのため、例えば外部の装置のユーザーは、外部の装置に表示される主たる画像を見ながら追加的な情報の入力を行うことができる。
【００１２】
また、上記の本発明にかかるプロジェクターにおいて、前記受信手段により受信される前記第２の画像データは暗号化されたデータであり、暗号化された前記第２の画像データを復号化する復号化手段を備える、という構成が採用されてもよい。
【００１３】
上記の本発明にかかるプロジェクターによれば、外部の装置からプロジェクターに送信される追加的な情報が会場外の人に漏洩することがない。
【００１４】
また、上記の本発明にかかるプロジェクターにおいて、基準となる時刻から現在までの経過時間もしくは現在の時刻を示す計時データを生成する計時手段と、前記計時手段により生成される計時データにより示される基準となる時刻から現在までの経過時間もしくは現在の時刻が、所定の条件を満たすか否かを判定する判定手段とを備え、前記画像データ生成手段は、前記判定手段による前記判定の結果に応じて、前記合成画像データの生成に用いる前記第２の画像データを変更する、という構成が採用されてもよい。
【００１５】
上記の本発明にかかるプロジェクターによれば、例えばプロジェクターのユーザーが重畳表示の開始時刻もしくは終了時刻に関する条件をプロジェクターに入力することにより、望ましいタイミングで追加的な情報の重畳表示を自動的に開始もしくは終了させることができる。
【００１６】
また、上記の本発明にかかるプロジェクターにおいて、前記第１の画像データおよび前記前記第２の画像データ、もしくは前記合成画像データを記録する記録手段を備える、という構成が採用されてもよい。
【００１７】
上記の本発明にかかるプロジェクターによれば、例えば会議の終了後に投写内容（追加的な情報を含む）を確認のためプレイバックさせる、といったことが可能となる。
【００１８】
また、上記の本発明にかかるプロジェクターにおいて、前記第２の画像データは、画像の要素である文字、数字、記号および図形のうちの少なくとも１を示す要素データと、前記要素データにより示される要素の表示位置を示す表示位置データとを含み、前記第２の画像データが前記要素データを複数含む場合、複数の前記要素データの各々により各々示される複数の要素間の重なりの程度を低下するように、複数の前記要素データのうちの少なくとも１の前記要素データに対応する前記表示位置データを所定の規則に従い変更する変更手段を備える、という構成が採用されてもよい。
【００１９】
上記の本発明にかかるプロジェクターによれば、追加的な情報を構成する複数のテキストや図形などが互いに重なり合って判読しにくくならないように、それらの位置調整が自動的に行われる。
【００２０】
また、本発明は、第１の画像を示す第１の画像データを取得する画像データ取得手段と、前記第１の画像データにより示される前記第１の画像を含み、前記第１の画像の上に重畳されるべき第２の画像の要素である文字、数字、記号および図形のうちの少なくとも１を示す要素データの入力を促す画面の表示を表示装置に指示する表示指示手段と、前記要素データの入力を受け付ける操作手段と、前記操作手段を用いて入力された前記要素データにより示される要素を含む第２の画像を、前記第１の画像に対し重畳した合成画像を示す合成画像データを生成する画像データ生成手段とを備え、前記表示指示手段は、前記操作手段を用いた前記要素データの入力が行われた場合、前記第１の画像に代えて前記合成画像を含む前記画面の表示を前記表示装置に指示し、前記操作手段を用いた前記要素データの入力が行われた場合、前記第２の画像を示す第２の画像データもしくは前記合成画像データを、画像の投写を行うプロジェクターに送信する送信手段を備える端末装置を提案する。
【００２１】
上記の本発明にかかる端末装置によれば、例えば端末装置のユーザーが追加的な情報を端末装置に入力することで、プロジェクターにおいて、主たる画像に対し追加的な情報の重畳された画像の投写が可能となる。
【００２２】
また、上記の本発明にかかる端末装置において、前記送信手段は、前記第１の画像データを外部の装置に送信する、という構成が採用されてもよい。
【００２３】
上記の本発明にかかる端末装置によれば、例えば会場内の他のユーザーの装置において、主たる画像の表示を行うことが可能となる。
【００２４】
また、上記の本発明にかかる端末装置において、前記第２の画像データもしくは前記合成画像データを暗号化する暗号化手段を備え、前記送信手段は、前記暗号化手段により暗号化された前記第２の画像データもしくは前記合成画像データを前記プロジェクターに送信する、という構成が採用されてもよい。
【００２５】
上記の本発明にかかる端末装置によれば、端末装置からプロジェクターに送信される追加的な情報が会場外の人に漏洩することがない。
【００２６】
また、上記の本発明にかかる端末装置において、基準となる時刻から現在までの経過時間もしくは現在の時刻を示す計時データを生成する計時手段と、前記計時手段により生成される計時データにより示される基準となる時刻から現在までの経過時間もしくは現在の時刻が、所定の条件を満たすか否かを判定する判定手段とを備え、前記送信手段は、前記判定手段による前記判定の結果に応じて、前記プロジェクターに送信する前記第２の画像データを変更する、という構成が採用されてもよい。
【００２７】
上記の本発明にかかる端末装置によれば、例えば端末装置のユーザーが重畳表示の開始時刻もしくは終了時刻に関する条件をプロジェクターに入力することにより、望ましいタイミングで追加的な情報の重畳表示を自動的に開始もしくは終了させることができる。
【００２８】
また、上記の本発明にかかる端末装置において、前記第１の画像データおよび前記第２の画像データ、もしくは前記合成画像データを記録する記録手段を備える、という構成が採用されてもよい。
【００２９】
上記の本発明にかかる端末装置によれば、例えば会議の終了後に投写内容（追加的な情報を含む）を確認のためプレイバックさせる、といったことが可能となる。
【００３０】
また、上記の本発明にかかる端末装置において、前記操作手段を用いて入力される前記要素データには前記要素データにより示される要素の表示位置を示す表示位置データが伴い、複数の前記要素データが入力された場合、複数の前記要素データの各々により各々示される複数の要素間の重なりの程度を低下するように、複数の前記要素データのうちの少なくとも１の前記要素データに伴う前記表示位置データを所定の規則に従い変更する変更手段を備える、という構成が採用されてもよい。
【００３１】
上記の本発明にかかる端末装置によれば、追加的な情報を構成する複数のテキストや図形などが互いに重なり合って判読しにくくならないように、それらの位置調整が自動的に行われる。
【００３２】
また、本発明は、コンピューターに、第１の画像を示す第１の画像データを取得する処理と、前記第１の画像データにより示される前記第１の画像を含み、前記第１の画像の上に重畳されるべき第２の画像の要素である文字、数字、記号および図形のうちの少なくとも１を示す要素データの入力を促す画面の表示を表示装置に指示する処理と、前記画面の促しに応じて前記ユーザーにより前記要素データの入力が行われた場合、前記ユーザーにより入力された前記要素データにより示される要素を含む第２の画像を前記第１の画像に対し重畳した合成画像を示す合成画像データを生成する処理と、前記要素データの入力が行われた場合、前記第１の画像に代えて前記合成画像を含む前記画面の表示を前記表示装置に指示する処理と、前記要素データの入力が行われた場合、前記第２の画像を示す第２の画像データもしくは前記合成画像データを、画像の投写を行うプロジェクターに送信する処理とを実行させるプログラムを提案する。
【００３３】
上記の本発明にかかるプログラムによれば、コンピューターにより上記の本発明にかかる端末装置が実現される。
【図面の簡単な説明】
【００３４】
【図１】第１実施形態にかかる画像投写システムの全体構成のイメージ図である。
【図２】第１実施形態にかかるプロジェクターの機能構成を示したブロック図である。
【図３】第１実施形態にかかるビデオプレイヤーの機能構成を示したブロック図である。
【図４】第１実施形態にかかる端末装置の機能構成を示したブロック図である。
【図５】第１実施形態にかかる端末装置に表示される画面を模式的に示した図である。
【図６】第２実施形態にかかる画像投写システムの全体構成を示したイメージ図である。
【図７】第２実施形態にかかるプロジェクターの機能構成を示したブロック図である。
【図８】第２実施形態にかかる端末装置の機能構成を示したブロック図である。
【図９】第２実施形態にかかる端末装置の機能構成を示したブロック図である。
【発明を実施するための形態】
【００３５】
［第１実施形態］
図１は、本発明の第１実施形態にかかる画像投写システム１の全体構成のイメージ図である。画像投写システム１は、画像をスクリーン８に投写するプロジェクター１１、プロジェクター１１に対しスクリーン８に投写されるべき主要コンテンツ（第１の画像）を示す映像データ（第１の画像データ）を送信するビデオプレイヤー１２、プロジェクター１１に対しスクリーン８に投写されるべき追加的なメッセージ（第２の画像）を示すテロップデータ（第２の画像データ）を送信する端末装置１３を備えている。
【００３６】
プロジェクター１１とビデオプレイヤー１２は通信ケーブルにより有線接続されている。一方、プロジェクター１１と端末装置１３は無線ＬＡＮで無線接続されている。
【００３７】
図２は、プロジェクター１１の機能構成を示したブロック図である。プロジェクター１１は、ビデオプレイヤー１２から映像データを受信する映像データ受信部１１１（画像データ取得手段）と、端末装置１３からテロップデータを受信するテロップデータ受信部１１２（受信手段）を備えている。
【００３８】
映像データ受信部１１１がビデオプレイヤー１２から受信可能な映像データの形式は、ＨＤＭＩ（High-Definition Multimedia Interface、登録商標）規格に従ったデジタルデータと、ＲＣＡ端子経由で受信されるアナログデータである。ただし、これらは例示であって、他の形式の映像データが採用されてもよい。
【００３９】
プロジェクター１１は、受信される映像データがアナログデータである場合、映像データをデジタルデータに変換するＡ／Ｄ変換部１１３を備えている。
【００４０】
テロップデータ受信部１１２が端末装置１３から受信するテロップデータは、メッセージを示すテキスト（文字、数字、記号の列）や図形を要素として含む画像を示すラスター形式の画像データである。テロップデータには画像を構成する各画素の透過度を示すデータが含まれ、要素以外の画素については１００％（透明）の透過度が指定され、要素の画素についてはユーザー指定の任意の透過度が指定されている。
【００４１】
テロップデータ受信部１１２が受信するテロップデータは端末装置１３において暗号化されている。そこで、プロジェクター１１は受信したテロップデータを復号化する復号化部１１４（復号化手段）を備えている。
【００４２】
プロジェクター１１は端末装置１３が通信接続された際、鍵生成部（図示略）により共通暗号鍵を生成し、鍵送信部（図示略）により端末装置１３に送信する。端末装置１３およびプロジェクター１１はこの共通暗号鍵を用いて、テロップデータの暗号化および復号化を行う。なお、これは暗号鍵の交換方法の一例であって、他の方法が採用されてもよい。
【００４３】
プロジェクター１１は、ビデオプレイヤー１２から受信した映像データにより示される映像の上に端末装置１３から受信したテロップデータにより示されるテロップを重畳した映像（合成画像）を示す映像データ（合成画像データ）を生成する重畳処理部１１５（画像データ生成手段）を備えている。
【００４４】
重畳処理部１１５は、映像データ受信部１１１により受信され、必要に応じてＡ／Ｄ変換部１１３によりデジタルデータに変換された映像データにより示される画像を示す２次元配列された画素データ群を、第１のレイヤーの画素データ群としてＲＡＭ（Random Access Memory、図示略）の作業領域に生成する。
【００４５】
また、重畳処理部１１５は、テロップデータ受信部１１２により受信され、復号化部１１４により復号化されたテロップデータにより示される画像を示す２次元配列された画素データ群を、第２のレイヤーの画素データ群としてＲＡＭの作業領域に生成する。
【００４６】
重畳処理部１１５は、第１のレイヤーの画素データ群と第２のレイヤーの画素データ群の各々に含まれる同じ画素位置の画素データの各々が示す画素値を、第２のレイヤーの画素データに指定されている透過度に応じた比率を乗じて加算する。その結果、第１のレイヤーの画像に第２のレイヤーの画像を重畳した合成画像を示す映像データが生成される。
【００４７】
プロジェクター１１は、重畳処理部１１５により生成された映像データに従い画像をスクリーン８に対し投写する投写部１１６（画像投写手段）を備えている。
【００４８】
投写部１１６は、重畳処理部１１５から出力される映像データをＶＲＡＭ１１６１（Video RAM）に展開する。ライトバルブ駆動部１１６２はＶＲＡＭ１１６１に展開されたデータに従い液晶ライトバルブ１１６３を駆動する。
【００４９】
液晶ライトバルブ１１６３に対しては、光源１１６４から光が照射される。液晶ライトバルブ１１６３に照射された光は液晶ライトバルブ１１６３を透過する際に色を帯びて画像光となる。画像光は投写レンズ１１６５を透過して、スクリーン８に対し拡大投写される。
【００５０】
プロジェクター１１は、投写部１１６による画像の投写と平行して、重畳処理部１１５により生成された映像データを端末装置１３に送信する。そのために、プロジェクター１１は重畳処理部１１５から出力される映像データを暗号化する暗号化部１１７と、暗号化部１１７により暗号化された映像データを端末装置１３に送信する映像データ送信部１１８（送信手段）を備えている。
【００５１】
さらに、プロジェクター１１は、投写部１１６による画像の投写と平行して、重畳処理部１１５により生成された映像データを記録する記録部１１９（記録手段）を備えている。
【００５２】
記録部１１９に記録された映像データは、操作部（図示略）に対しプロジェクター１１のユーザーが行う再生指示に応じて投写部１１６により読み出され、再生映像として投写される。
【００５３】
図３はビデオプレイヤー１２の機能構成を示したブロック図である。ビデオプレイヤー１２は、まず、映像データの記録された記録メディアであるディスク９から映像データを読み出す映像データ読出部１２１を備えている。
【００５４】
映像データ読出部１２１が映像データの読み出しを行うことができるディスクの種類は、ＤＶＤ−Ｖｉｄｅｏ、ＢＤ−Ｖｉｄｅｏ（Blu-ray Disc-Video）などである。
【００５５】
映像データ読出部１２１により読み取られた映像データは、ビデオプレイヤー１２が備える映像データ再生部１２２に引き渡される。
【００５６】
映像データ再生部１２２は、映像データ読出部１２１から受け取った映像データをデコードして時系列的に並んだ静止画を示す画像データを順次生成し、ビデオプレイヤー１２が備える映像データ送信部１２３に引き渡す。
【００５７】
映像データ送信部１２３は、映像データ再生部１２２から受け取る画像データを所定の時間間隔で順次、映像データとしてプロジェクター１１に送信する。
【００５８】
映像データ送信部１２３が送信可能な映像データの形式は、ＨＤＭＩ規格に従ったデジタルデータと、ＲＣＡ端子経由で送信されるアナログデータである。ただし、これらは例示であって、他の形式の映像データが映像データ送信部１２３により送信可能とされてもよい。
【００５９】
端末装置１３は汎用的なＰＣ（Personal Computer）である。端末装置１３は本発明にかかるプログラムに従う処理を行うことにより、以下に説明する機能構成を備える装置として動作する。
【００６０】
図４は、端末装置１３の機能構成を示したブロック図である。端末装置１３はまず、プロジェクター１１の映像データ送信部１１８から送信されてくる映像データを受信する映像データ受信部１３０１（画像データ取得手段、受信手段）を備えている。
【００６１】
映像データ受信部１３０１は受信した映像データを復号化部１３０２に引き渡す。復号化部１３０２は鍵受信部（図示略）によりプロジェクター１１から受信した共通暗号鍵を用いて、暗号化されている映像データを復号化する。
【００６２】
復号化部１３０２は、復号化した映像データを重畳処理部１３０３（画像データ生成手段）に引き渡す。重畳処理部１３０３は後述するラスター処理部１３０９により生成されるラスター形式のテロップデータにより示される第２のレイヤーの画像を、復号化部１３０２から受け取った映像データにより示される第１のレイヤーの画像に重畳した合成画像を示す合成画像データを生成する。
【００６３】
重畳処理部１３０３が映像データとテロップデータから合成画像データを生成する処理は、プロジェクター１１の重畳処理部１１５の処理と同様である。
【００６４】
重畳処理部１３０３は、生成した合成画像データを順次、映像データとして画面データ生成部１３０４（表示指示手段）に引き渡す。画面データ生成部１３０４は、重畳処理部１３０３から受け取った映像データに示される映像を表示するとともに、端末装置１３のユーザーによるテロップの入力を受け付けるテロップ設定画面の画面データを生成する。
【００６５】
画面データ生成部１３０４は、テロップ設定画面の画面データを表示部１３０５（表示装置）に出力する。表示部１３０５は画面データに従いテロップ設定画面を表示する。
【００６６】
図５は、表示部１３０５に表示されるテロップ設定画面を模式的に示した図である。テロップ設定画面には、映像データを表示するための領域１４１、テロップの追加等を指示するためのボタンが配置された領域１４２、設定済みのテロップをリスト表示するための領域１４３が含まれている。
【００６７】
ユーザーが領域１４１もしくは領域１４３に表示されているいずれかのテロップをマウスで右クリックすると、そのテロップにフォントなどの外観属性を指定するための領域１４４がポップアップ表示される。
【００６８】
領域１４１は、ユーザーがテロップの設定を行う際にそのプレビューを行うための領域であり、重畳処理部１３０３が生成する映像データが示す映像が表示される。
【００６９】
領域１４１に表示される映像は、プロジェクター１１により現在、スクリーン８に投写されている映像に対し、端末装置１３のユーザーにより設定されまだ投写が行われていないテロップ（ユーザーが領域１４３においてプレビュー表示をＯＮにしたもの）が重畳されたものである。
【００７０】
例えば、図５において領域１４１に表示されているテロップ「開始までしばらくお待ち下さい。」はプロジェクター１１により投写されているテロップであり、重畳処理部１３０３が復号化部１３０２から受け取る映像データに従い表示されている。
【００７１】
一方、領域１４１に表示されているテロップ「練馬１２３４のお客様は車を移動して下さい。」はまだプロジェクター１１による投写がされていないものである。
【００７２】
ユーザーは、新たにテキストのテロップを設定したい場合、領域１４２の「追加」ボタンをマウスでクリックする。その操作に応じて、テキスト入力ボックスがポップアップ表示（図示略）される。ユーザーがそのテキスト入力ボックスにメッセージの入力を行い、「ＯＫ」ボタンをクリックすると、入力されたテキストが領域１４３のリストに追加される。
【００７３】
続いて、ユーザーは領域１４３に追加されたテロップを領域１４１の適当な位置にドラッグアンドドロップする。それにより、ドラッグアンドドロップされたテロップが映像の指定位置に重畳表示される。
【００７４】
ユーザーは、上記のように重畳表示されているテロップ（まだ投写されていないテロップ）に関しては、その中心付近をドラッグアンドドロップすることで、表示位置を変更することができる。また、テロップを右クリックして領域１４４のウィンドウをポップアップ表示させ、テロップの外観属性を変更することもできる。
【００７５】
ユーザーは、領域１４２に表示されている各種図形（線、矢印、円・楕円、多角形）を示すアイコンボタンのいずれかをクリックした後、領域１４１上でそれらの図形を描く操作（ドラッグアンドドロップなど）を行うことで、図形のテロップを追加することもできる。
【００７６】
領域１４２にはトグルボタンである「位置自動調整」ボタンが配置されている。ユーザーが「位置自動調整」ボタンをクリックして「ＯＮ」にすると、ユーザーにより新たに追加されるテロップが既存のテロップに重なり合わないように、それらのテロップの位置が自動的に調整される。
【００７７】
画像投写システム１においては、テロップの位置調整の規則として、既に配置されているテロップの位置は変更せず、新たに追加されたテロップが既に配置されているテロップの上に重なる場合、新たに配置されたテロップが既に配置されているテロップに重ならない位置となるまで、その位置を下方に移動する、という規則が採用されている。
【００７８】
ただし、上記のテロップ位置の調整規則はあくまで一例であって、既存のテロップと新規のテロップの両方を互いに離れる方向に移動する、テロップの位置に加えサイズも変更する、などのいずれの規則が画像投写システム１において採用されてもよい。
【００７９】
領域１４３には、設定されているテロップがリスト表示される。領域１４３のリストには、テロップの各々に関し、「内容」、「プレビュー表示」、「投写」、「投写時間」の欄が設けられている。
【００８０】
ユーザーは、「内容」欄をダブルクリックすることにより、テキスト編集ボックスをポップアップさせ、テキストの編集を行うことができる。
【００８１】
また、ユーザーは「プレビュー表示」欄をダブルクリックすることにより、「ＯＮ／ＯＦＦ」の選択を行うラジオボタンをポップアップ表示させ、そのテロップのプレビュー表示をＯＮ／ＯＦＦすることができる。なお、プレビュー表示がＯＮされたテロップは領域１４１には表示されるが、プロジェクター１１による投写は行われない。
【００８２】
また、ユーザーは「投写」欄をダブルクリックすることにより、「ＯＮ」「ＯＦＦ」の選択を行うラジオボタンをポップアップ表示させ、そのテロップの投写をＯＮ／ＯＦＦすることができる。投写がＯＮされたテロップはプロジェクター１１により投写される。
【００８３】
投写がＯＮされたテロップは重畳処理部１３０３が復号化部１３０２から受け取る映像データに示される画像に含まれるようになる。そのため、同じテロップが重畳処理部１３０３により重畳されないように、「投写」欄がＯＮのテロップの「プレビュー表示」欄は自動的にＯＦＦとなる。なお、そのテロップは「投写」欄をＯＦＦにするまで編集不可となる。
【００８４】
「投写時間」欄には、テロップの投写の開始時刻および終了時刻に関する条件が設定される。そのような条件としては、例えば、９時３０分に投写を開始する、という条件を示す「９：３０  ＯＮ」、１２時３０分に投写を終了する、という条件を示す「１２：３０  ＯＦＦ」、投写開始から６０秒後に投写を終了する、という条件を示す「６０ｓｅｃ  ＯＦＦ」などがある。
【００８５】
テロップの内容に時刻や経過時間に応じて変化する要素を含めることもできる。例えば、図５の領域１４３のリストにＮｏ．２としてリストアップされているテロップのテキストには「＃ｃｏｕｎｔｄｏｗｎ，  １０：００＃」というコマンドが埋め込まれている。このコマンドは、１０時００分までの残り時間をカウントダウン表示させるコマンドである。
【００８６】
また、削除したいテロップがある場合、ユーザーは削除対象のテロップを領域１４１もしくは領域１４３でクリックして指定した後、領域１４２の「削除」ボタンをクリックすることで、そのテロップの設定を削除することができる。
【００８７】
以上がテロップ設定画面の説明である。端末装置１３は、テロップ設定画面においてユーザーが行う入力操作を受け付ける操作部１３０６（操作手段）を備えている。操作部１３０６は、マウスやキーボード、タッチパネルなどであり、ユーザーの操作に応じた所定のデータを生成することにより、ユーザーのデータ入力を受け付ける。
【００８８】
テロップ設定画面においてユーザーの操作に応じて操作部１３０６により生成されるデータとしては、テロップの内容、外観、表示位置を示すデータ、テロップのプレビュー表示や投写のＯＮ／ＯＦＦを指示するデータ、テロップの投写時間に関するデータがある。
【００８９】
操作部１３０６は、テロップの内容、外観、表示位置を示すデータと、テロップのプレビュー表示や投写のＯＮ／ＯＦＦを指示するデータを生成すると、それらのデータをテロップデータ生成部１３０７に引き渡す。
【００９０】
テロップデータ生成部１３０７は、操作部１３０６から受け取ったデータに基づき、プレビュー表示がＯＮのテロップを要素とする第２のレイヤーの画像を示すテロップデータを所定の時間間隔で生成する。
【００９１】
テロップデータ生成部１３０７により生成されるテロップデータは、テロップの内容および外観を示す要素データと、そのテロップの表示位置を示す表示位置データとの組を１以上含む非ラスター形式の画像データである。
【００９２】
テロップデータ生成部１３０７により生成されたテロップデータは、記憶部１３０８に引き渡され記憶される。
【００９３】
記憶部１３０８に記憶されたテロップデータは、ラスター処理部１３０９に読み出される。ラスター処理部１３０９は読み出した非ラスター形式のテロップデータに従い、ラスター形式のテロップデータを生成する。
【００９４】
なお、ラスター処理部１３０９はラスター形式のテロップデータを生成する際、必要となるフォントデータをフォントデータ記憶部１３１０から読み出す。
【００９５】
ラスター化されたテロップデータはラスター処理部１３０９からテロップデータ生成部１３０７に引き渡される。その結果、テロップ設定画面の領域１４１にプレビュー表示がＯＮのテロップが表示されることになる。
【００９６】
また、テロップデータ生成部１３０７は、操作部１３０６から受け取ったデータに基づき、投写がＯＮのテロップを要素とする第２のレイヤーの画像を示すテロップデータ（非ラスター形式）を所定の時間間隔で生成し、記憶部１３０８に引き渡す。
【００９７】
記憶部１３０８に記憶された投写がＯＮのテロップに関するテロップデータは、プレビュー表示がＯＮのテロップに関するテロップデータと同様に、ラスター処理部１３０９により読み出される。ラスター処理部１３０９は読み出した非ラスター形式のテロップデータに従い、ラスター形式のテロップデータを生成する。
【００９８】
ラスター化された投写がＯＮのテロップに関するテロップデータは、ラスター処理部１３０９から暗号化部１３１１に引き渡される。
【００９９】
暗号化部１３１１は、ラスター処理部１３０９から受け取ったテロップデータを暗号化し、テロップデータ送信部１３１２（送信手段）に引き渡す。テロップデータ送信部１３１２は暗号化部１３１１から受け取ったテロップデータをプロジェクター１１に送信する。
【０１００】
プロジェクター１１に送信されたテロップデータは、既に述べたように、テロップデータ受信部１１２に受信され、復号化部１１４で復号化された後、重畳処理部１１５に引き渡される。その結果、スクリーン８には、端末装置１３において投写がＯＮに指定されたテロップが重畳された映像が投写されることになる。
【０１０１】
テロップ設定画面において「自動位置調整」が「ＯＮ」に設定されている場合、位置調整部１３１３（変更手段）は、テロップデータ生成部１３０７により生成され記憶部１３０８に記憶されたテロップデータを読み出し、テロップデータに含まれる要素データが示すテロップが互いに重ならないように、それらの表示位置データを変更する。
【０１０２】
操作部１３０６は、テロップの投写時間に関するデータを生成すると、それらのデータを条件データ生成部１３１４（条件データ取得手段）に引き渡す。条件データ生成部１３１４は、操作部１３０６から受け取ったデータに従い、各テロップの投写の開始時刻および終了時刻に関する条件を示す条件データを生成し、記憶部１３０８に記憶させる。
【０１０３】
記憶部１３０８に記憶された条件データは、判定部１３１６（判定手段）に読み出される。
【０１０４】
計時部１３１５（計時手段）は、基準時刻からの経過時間を常時計測することで、現在時刻を示す計時データを順次生成し、判定部１３１６に引き渡す。
【０１０５】
判定部１３１６は、計時部１３１５から受け取った計時データに示される現在時刻、もしくはそれらの計時データから算出される経過時間が、記憶部１３０８から読み出した条件データに示される条件を満たすか否かを判定する。判定部１３１６は判定結果がそれまでの判定結果から変化すると、判定結果を示す判定結果データをテロップデータ生成部１３０７に引き渡す。
【０１０６】
例えば、図５において領域１４３のリストに含まれるＮｏ．１のテロップの条件データには「９：３０  ＯＮ」が含まれている。判定部１３１６は計時データが示す現在時刻が９時２９分５９秒から９時３０分に変化したタイミングでＯＮの条件が満たされたと判定する。判定部１３１６は、その判定結果を示すデータとして「Ｎｏ．１  ＯＮ」をテロップデータ生成部１３０７に引き渡す。
【０１０７】
テロップデータ生成部１３０７は、判定部１３１６から受け取ったデータ「Ｎｏ．１  ＯＮ」に従い、Ｎｏ．１のテロップの投写をＯＮに設定し、プレビュー表示をＯＦＦに設定する。その結果、Ｎｏ．１のテロップが投写されることになる。
【０１０８】
また、例えば図５において領域１４３のリストに含まれるＮｏ．５のテロップの条件データは「６０ｓｅｃ  ＯＦＦ」となっている。判定部１３１６は、Ｎｏ．５のテロップの投写がＯＮにされた時刻から６０秒後の時刻を示す計時データを計時部１３１５から受け取ったタイミングでＯＦＦの条件が満たされたと判定する。判定部１３１６は、その判定結果を示すデータとして「Ｎｏ．５  ＯＦＦ」をテロップデータ生成部１３０７に引き渡す。
【０１０９】
テロップデータ生成部１３０７は、判定部１３１６から受け取ったデータ「Ｎｏ．５  ＯＦＦ」に従い、Ｎｏ．５のテロップの投写をＯＦＦに設定する。その結果、Ｎｏ．５のテロップの投写が行われなくなる。
【０１１０】
以上のように構成された画像投写システム１によれば、プロジェクター１１がビデオプレイヤー１２から送信されてくる映像データに従いスクリーン８に投写されている主コンテンツの映像の上に、ユーザーは希望するタイミングで希望する内容のテロップを重畳させることができる。
【０１１１】
その結果、ユーザーは主コンテンツの投写を中断することなく、各種連絡などの追加的な情報を会場の人々に伝えることができる。
【０１１２】
その際、ユーザーは端末装置１３において、投写されている映像を見ながらテロップの設定やそのプレビューを行うことができ、便利である。
【０１１３】
また、テロップが端末装置１３からプロジェクター１１に送信される際、テロップデータは暗号化されるため、情報漏洩が生じない。
【０１１４】
また、ユーザーは予め投写の開始時刻および終了時刻に関する条件を設定しておくことで、テロップの投写および投写の終了を自動化できる。
【０１１５】
また、テロップが重畳されて投写された映像は記録されるため、ユーザーは後でその内容を確認することができる。
【０１１６】
また、ユーザーが複数のテロップを同時に投写させる際、自動的に表示位置の調整を行わせることができるため、テロップが重なり合って内容が判読できない、といった不都合が生じない。
【０１１７】
［第２実施形態］
以下に、本発明の第２実施形態にかかる画像投写システム２を説明する。画像投写システム２は多くの点で画像投写システム１と共通しているため、以下においては画像投写システム２が画像投写システム１と異なる点を中心に説明する。また、画像投写システム２の構成部のうち画像投写システム１の構成部と共通するものには同じ符号を用いる。
【０１１８】
図６は、画像投写システム２の全体構成を示したイメージ図である。画像投写システム２はプロジェクター２１、プロジェクター２１に主コンテンツの映像データとテロップデータの両方を送信可能な端末装置２３Ｍ、プロジェクター２１に各々テロップデータを送信可能な複数の端末装置２３Ｓを備えている。以下、端末装置２３Ｍと端末装置２３Ｓを区別する必要がない場合、それらを単に端末装置２３と呼ぶ。
【０１１９】
端末装置２３の各々とプロジェクター２１とは互いに無線ＬＡＮを介して通信接続されている。
【０１２０】
図７は、プロジェクター２１の機能構成を示したブロック図である。まず、プロジェクター２１はプロジェクター１１が備えるＡ／Ｄ変換部１１３を備えない。端末装置２３Ｍから送信されてくる映像データは常にデジタルデータであるためである。
【０１２１】
画像投写システム２においてプロジェクター２１Ｍから送信されてくる映像データは暗号化されている。そのため、プロジェクター２１は映像データ受信部１１１により受信された映像データを復号化する復号化部２１１を備えている。復号化部２１１は映像データ受信部１１１から引き渡された暗号化された映像データを復号化し、重畳処理部１１５に引き渡す。
【０１２２】
また、画像投写システム２においては、複数の端末装置２３の各々からテロップデータがプロジェクター２１に対し送信される。
【０１２３】
プロジェクター２１が複数の端末装置２３の各々から受信するテロップデータは、画像投写システム１における場合と異なり、非ラスター形式である。すなわち、端末装置２３においてはテロップデータのラスター化は行われず、要素データと表示位置データの組を１以上含む形式のテロップデータが端末装置２３からプロジェクター２１に送信される。
【０１２４】
画像投写システム２においては、プロジェクター２１に対し複数の端末装置２３からテロップデータが送信されるため、それらにそのまま従ってテロップの表示を行うと、テロップが互いに重なり合う可能性がある。
【０１２５】
上記の問題を解消するため、プロジェクター２１はテロップの位置を調整する位置調整部２１２（変更手段）を備えている。位置調整部２１２は端末装置２３から受信され復号化されたテロップデータを復号化部１１４から受け取り、受け取った複数のテロップデータに含まれる要素データおよび表示位置データに基づき、それらに示されるテロップが互いに重なり合わないように表示位置データの調整を行う。なお、その調整の方法は、画像投写システム１における位置調整部１３１３に関し説明したものと同様である。
【０１２６】
位置調整部２１２により表示位置データの調整の行われた非ラスター形式のテロップデータからラスター形式のテロップデータを生成するため、プロジェクター２１はラスター処理部２１３を備えている。ラスター処理部２１３は位置調整部２１２から引き渡されるテロップデータに従い生成したラスター形式のテロップデータを重畳処理部１１５に引き渡す。
【０１２７】
プロジェクター２１はフォントデータを記憶するフォントデータ記憶部２１４を備えている。ラスター処理部２１３はテロップデータのラスター化において、必要なフォントデータをフォントデータ記憶部２１４から読み出す。
【０１２８】
また、プロジェクター２１は、位置調整部２１２による調整後のテロップデータを、そのテロップデータの送信元の端末装置２３に送信するテロップデータ送信部２１５を備えている。調整後のテロップデータを端末装置２３にフィードバックするためである。
【０１２９】
図８は、端末装置２３Ｍの機能構成を示したブロック図である。端末装置２３Ｍは、画像投写システム１の端末装置１３に対し、概ねビデオプレイヤー１２が備える構成部を追加した構成を備えている。
【０１３０】
すなわち、端末装置２３Ｍはまず、主コンテンツを示す映像データを記憶する映像データ記憶部２３１を備えている。映像データ記憶部２３１には、例えばプレゼンテーション用の資料の内容を示す映像データが記憶されている。
【０１３１】
映像データに従い映像データを生成するために、端末装置２３Ｍは映像データ再生部２３２を備えている。映像データ再生部２３２が生成する映像データは、例えばユーザーの操作部１３０６に対する操作に応じて、プレゼンテーション用の資料をアニメーション等の効果を付してスライド表示する映像データである。
【０１３２】
端末装置２３Ｍは、映像データ再生部２３２により生成される映像データを暗号化する暗号化部２３３を備えている。暗号化部２３３により暗号化された映像データは映像データ送信部２３４（送信手段）に引き渡され、プロジェクター２１に送信される。
【０１３３】
また、端末装置２３Ｍは、プロジェクター２１から送信されてくる表示位置の調整されたテロップデータを受信するテロップデータ受信部２３５を備えている。テロップデータ受信部２３５はプロジェクター２１から受信したテロップデータをテロップデータ生成部１３０７に引き渡す。テロップデータ生成部１３０７は受け取ったテロップデータで記憶部１３０８に記憶されているテロップデータを上書き更新する。
【０１３４】
端末装置２３Ｍは画像投写システム１の端末装置１３と異なり、プロジェクター２１に対し非ラスター形式のテロップデータを送信する。そのため、暗号化部１３１１は記憶部１３０８から非ラスター形式のテロップデータを読み出し、暗号化した後、テロップデータ送信部１３１２に引き渡す。
【０１３５】
図９は、端末装置２３Ｓの機能構成を示したブロック図である。端末装置２３Ｓは、端末装置２３Ｍが備える映像データ記憶部２３１、映像データ再生部２３２、暗号化部２３３および映像データ送信部２３４を備えない点を除き、端末装置２３Ｍと同じ構成を備えている。
【０１３６】
上記のような構成を備える画像投写システム２によれば、例えばプレゼンターは端末装置２３Ｍを使用し、プレゼンテーション用の資料を投写させると同時に、必要に応じて追加的な情報をテロップとして投写させることができる。また、プレゼンター以外の参加者（例えばコメンテーター）は端末装置２３Ｓを使用し、必要に応じてコメントなどの追加的な情報をテロップとして投写させることができる。
【０１３７】
［変形例］
上述した実施形態は本発明の技術的思想の範囲内において様々に変形可能である。以下にそれらの変形の例を示す。
【０１３８】
［第１変形例］
上述した画像投写システム２においては、テロップの投写の自動的な開始および終了の制御は、端末装置において、条件データ生成部１３１４、判定部１３１６、計時部１３１５およびテロップデータ生成部１３０７により行われている。
【０１３９】
これに対し、第１変形例においては、テロップの投写の自動的な開始および終了の制御がプロジェクターにおいて行われる。そのため、第１変形例にかかる端末装置は、条件データ生成部１３１４、判定部１３１６および計時部１３１５を備えない。
【０１４０】
第１変形例にかかる端末装置は、非ラスター形式のテロップデータをプロジェクターに送信する。このテロップデータには、各テロップに応じた条件データが含まれている。従って、第１変形例にかかるプロジェクターのテロップデータ受信部（条件データ取得手段）は、条件データを含むテロップデータを端末装置から受信する。
【０１４１】
テロップデータに含まれる条件データに従いテロップの投写の開始および終了を制御するために、第１変形例にかかるプロジェクターは、端末装置１３または端末装置２３が備える判定部１３１６および計時部１３１５と同様の処理を行う判定部（判定手段）および計時部（計時手段）を備えている。
【０１４２】
第１変形例にかかるプロジェクターは、端末装置から送信されてくるテロップデータを復号化した後、記憶部に記憶する。そして、計時部により生成される計時データにより示される現在時刻に基づき、条件データが示す条件が満たされたか否かの判定を判定部により行う。
【０１４３】
位置調整部２１２およびラスター処理部２１３は、判定部による判定結果に従い、記憶部に記憶されているテロップデータに含まれる要素データおよび表示位置データのうち投写がＯＮとなったものを用いて、ラスター形式のテロップデータを生成し、重畳処理部１１５に引き渡す。
【０１４４】
第１変形例によっても、ユーザーが希望するタイミングでテロップの投写の開始および終了が自動的に行われる。
【０１４５】
［第２変形例］
上述した画像投写システム２においては、プロジェクター２１から端末装置２３に対し、現在投写されている映像を示す映像データの送信が行われる構成が採用されている。すなわち、端末装置２３は、プレビュー表示のための第１のレイヤーの画像（プロジェクター２１における合成画像）をプロジェクター２１から取得している。
【０１４６】
これに対し、第２変形例にかかる画像投写システムにおいては、プロジェクター２１に代わって端末装置２３Ｍが端末装置２３Ｓに対し、現在投写されている映像を示す映像データを送信する。
【０１４７】
そのため、第２変形例にかかる端末装置２３Ｍは、プロジェクター２１から受信した映像データを端末装置２３Ｓに転送する映像データ転送部（送信手段）を備えている。
【０１４８】
従って、第２変形例にかかる端末装置２３Ｓの映像データ受信部１３０１は、プロジェクター２１からではなく端末装置２３Ｍから送信されてくる映像データを受信する。
【０１４９】
第２変形例によれば、プロジェクター２１の映像データの送信処理に伴う負荷が軽減される。
【０１５０】
なお、第２変形例をさらに変形し、端末装置２３Ｍがプロジェクター２１から受信した映像データに代えて、映像データ送信部２３４からプロジェクター２１に対し送信するデータを、端末装置２３Ｓに対しても送信する構成が採用されてもよい。
【０１５１】
その場合、テロップが重畳されていない映像データが端末装置２３Ｓに送信されることになる。そこで、端末装置２３Ｓにおいてプレビューを行う際、現在投写されているテロップが重畳された映像を表示させるために、端末装置２３Ｍがプロジェクター２１から現在投写されているテロップを示す非ラスター形式のテロップデータを受信し、そのテロップデータを映像データとともに端末装置２３Ｓに送信する構成が採用されてもよい。
【０１５２】
［第３変形例］
上述した画像投写システム１および画像投写システム２においては、投写された映像はプロジェクター１１もしくはプロジェクター１１に記録される構成が採用されている。
【０１５３】
これに対し、第３変形例においては、プロジェクターに代えて、もしくはそれに加えて、投写された映像の記録が端末装置において行われる。
【０１５４】
そのため、第３変形例にかかる端末装置は、映像データ受信部１３０１がプロジェクターから受信した映像データを記録する記録部（記録手段）と、記録部に記録された映像データに従い映像の再生を行う映像再生部を備えている。
【０１５５】
第３変形例によれば、端末装置のユーザーは、例えば会議中に投写されたテロップ付きの映像を、会議の終了後に自由に確認することができる。
【０１５６】
［第４変形例］
上述した画像投写システム１および画像投写システム２においては、プロジェクター１１もしくはプロジェクター２１から端末装置１３もしくは端末装置２３に対し、テロップの重畳された映像を示す映像データ、すなわちプロジェクターにおける合成画像を示す合成画像データが送信される構成が採用されている。
【０１５７】
これに対し、第４変形例においては、プロジェクターから端末装置に対し、合成画像データに代えて、テロップが重畳される前の映像データと、重畳に用いられたテロップデータが送信される。
【０１５８】
そのため、第４変形例にかかるプロジェクターの映像データ送信部１１８（送信手段）は、合成画像の生成に用いられた重畳処理前の映像データおよびテロップデータを重畳処理部１１５から受け取り、それらを端末装置に送信する。
【０１５９】
従って、第４変形例にかかる端末装置の映像データ受信部１３０１は、重畳処理前の映像データとテロップデータを受信する。受信されたそれらのデータは復号化部１３０２で復号化された後、重畳処理部１３０３に引き渡される。
【０１６０】
重畳処理部１３０３は復号化部１３０２から受け取った映像データが示す映像にテロップデータが示すテロップを重畳することで、プロジェクターにより投写されている映像と同じ映像を生成する。そのように生成した映像に対し、テロップデータ生成部１３０７から受け取るテロップデータが示すテロップをさらに重畳した映像を生成し、プレビュー用の映像として画面データ生成部１３０４に引き渡す。
【０１６１】
第４変形例によれば、プロジェクターから端末装置へ映像データを送信する際にプロジェクターにおいて通常必要となるエンコード処理が不要となるため、プロジェクターのデータ処理の負荷が軽減される。
【０１６２】
なお、第４変形例は、第２変形例と組み合わされてもよい。その場合、端末装置２３Ｍから端末装置２３Ｓに対し、テロップの重畳された映像データに代えて、テロップの重畳前の映像データとテロップデータが送信されることになる。
【０１６３】
［第５変形例］
上述した画像投写システム２においては、投写部１１６から投写される主コンテンツの映像に対しテロップを重畳する処理は、プロジェクター２１の重畳処理部１１５において行われる。
【０１６４】
これに対し、第５変形例においては、投写部１１６から投写される主コンテンツの画像に対しテロップを重畳する処理が端末装置２３Ｍにおいて行われる。
【０１６５】
そのため、第５変形例にかかる端末装置２３Ｓのテロップデータ送信部１３１２は、プロジェクター２１に対してではなく端末装置２３Ｍに対しテロップデータを送信する。
【０１６６】
また、第５変形例にかかる端末装置２３Ｍは、画像投写システム２のプロジェクター２１が備えるテロップデータ受信部１１２、復号化部１１４、位置調整部２１２、ラスター処理部２１３および重畳処理部１１５と同様の構成部を備える。
【０１６７】
第５変形例にかかる端末装置２３Ｍは端末装置２３Ｓからテロップデータを受信し、それらを復号化した後、テロップの表示位置調整およびラスター化の処理を行い、ラスター形式のテロップデータを生成する。
【０１６８】
そのように生成したテロップデータが示すテロップの画像を、映像データ再生部２３２により生成される映像データが示す主コンテンツの映像の上に重畳して、投写用の映像データを生成する。
【０１６９】
第５変形例にかかる端末装置２３Ｍは、上記のように生成した映像データを暗号化部２３３において暗号化した後、映像データ送信部２３４からプロジェクター２１に送信する。
【０１７０】
第５変形例にかかるプロジェクター２１は、端末装置２３Ｍから送信されてくる映像データを映像データ受信部１１１で受信し、復号化部２１１で復号化した後、投写部１１６に引き渡す。
【０１７１】
上記のように、第５変形例においては、投写用の映像データが端末装置２３Ｍにおいて生成されるため、プロジェクター２１はテロップデータ受信部１１２、復号化部１１４、位置調整部２１２、ラスター処理部２１３および重畳処理部１１５を備える必要がない。
【０１７２】
［その他の変形例］
上述した実施形態およびその変形例においては、投写された映像を記録するためのデータとして、テロップが合成された後の画像を示す合成画像データが記録される。それに代えて、合成前の映像データ（第１の画像データ）およびテロップデータ（第２の画像データ）がプロジェクターもしくは端末装置において記録されてもよい。
【０１７３】
上述した実施形態およびその変形例においては、プロジェクターは主コンテンツを示す映像データをビデオプレイヤーや端末装置といった外部の装置から受信する。それに代えて、プロジェクターが記録メディアからデータを読み出す読出部を備え、記録メディアに記録された映像データを読み出したり、記録メディアに記録されている静止画データなどを読み出して映像データを生成したりしてもよい。また、プロジェクターが予め外部の装置や記録メディアから記憶部に映像データや静止画データ等を記憶しておき、それらを用いるようにしてもよい。
【０１７４】
ビデオプレイヤーおよび端末装置とプロジェクターとの間の通信の方式は特定の方式に限られず、例えば有線・無線のいずれであってもよい。また、それらの通信において、ルータなどの中継器が用いられてもよい。また、それらの通信において、インターネットなどの公衆ネットワークが利用されてもよい。
【０１７５】
上述した実施形態およびその変形例においては、端末装置はコンピューターに本発明にかかるプログラムに従った処理を実行させることにより実現されるものとした。これに代えて、端末装置が備える構成部の各々をハードウェア的に実現した、いわゆる専用装置として端末装置が構成されてもよい。
【０１７６】
なお、上述した実施形態およびその変形例の説明において、映像に音声が伴うか否かは特に述べなかったが、映像に音声が伴うか否かはいずれであってもよい。
【符号の説明】
【０１７７】
１…画像投写システム、２…画像投写システム、８…スクリーン、９…ディスク、１１…プロジェクター、１２…ビデオプレイヤー、１３…端末装置、２１…プロジェクター、２３…端末装置、１１１…映像データ受信部、１１２…テロップデータ受信部、１１３…Ａ／Ｄ変換部、１１４…復号化部、１１５…重畳処理部、１１６…投写部、１１７…暗号化部、１１８…映像データ送信部、１１９…記録部、１２１…映像データ読出部、１２２…映像データ再生部、１２３…映像データ送信部、１４１…領域、１４２…領域、１４３…領域、１４４…領域、２１１…復号化部、２１２…位置調整部、２１３…ラスター処理部、２１４…フォントデータ記憶部、２１５…テロップデータ送信部、２３１…映像データ記憶部、２３２…映像データ再生部、２３３…暗号化部、２３４…映像データ送信部、２３５…テロップデータ受信部、１１６１…ＶＲＡＭ、１１６２…ライトバルブ駆動部、１１６３…液晶ライトバルブ、１１６４…光源、１１６５…投写レンズ、１３０１…映像データ受信部、１３０２…復号化部、１３０３…重畳処理部、１３０４…画面データ生成部、１３０５…表示部、１３０６…操作部、１３０７…テロップデータ生成部、１３０８…記憶部、１３０９…ラスター処理部、１３１０…フォントデータ記憶部、１３１１…暗号化部、１３１２…テロップデータ送信部、１３１３…位置調整部、１３１４…条件データ生成部、１３１５…計時部、１３１６…判定部
【図１】
2013205605.tif 000003
【図２】
2013205605.tif 000004
【図３】
2013205605.tif 000005
【図４】
2013205605.tif 000006
【図５】
2013205605.tif 000007
【図６】
2013205605.tif 000008
【図７】
2013205605.tif 000009
【図８】
2013205605.tif 000010
【図９】
2013205605.tif 000011